(57)【特許請求の範囲】
【請求項１】
複数の接触端子を収納したハウジングと、このハウジングに対して回動可能に保持され、偏平導体を挿入保持可能とした枠部を持つ操作部材とを備え、
前記操作部材は、その回転中心より偏平導体挿入側と反対側に延出し、一体に形成された突起部を有し、前記ハウジングに左右一対一体に形成されたバネ性を有するアーム形状のロックバネ部と協動して、ハウジングに対して略垂直位置に安定に保持可能とされると共に、
前記操作部材は、側面から突出した突起を有し、前記ハウジングの両端部に形成されたアームから内側に向かって突出した突起と協動して、前記ハウジングに対して水平位置でロック可能とし前記偏平導体の導体露出部を前記接触端子に圧接するように構成されたことを特徴とする偏平導体用コネクタ。
【請求項２】
複数の接触端子を収納したハウジングと、このハウジングに対して回動可能に保持され、偏平導体を挿入保持可能とした枠部を持つ操作部材とを備え、
前記操作部材は前記ハウジングに対して垂直位置で安定に保持可能とされると共に、水平位置でロック可能とされ、
前記接触端子は、下アームに前記偏平導体を構成する導体に接続される電気接点と、前記操作部材の偏平導体挿入側と反対面側に当接する操作部材受部を上アームに有し、前記電気接点は前記操作部材受部より先端に位置し、前記操作部材の垂直状態での下方先端は前記操作部材受部と電気接点の間に位置し、前記操作部材が前記ハウジングに対して前記水平位置となった状態で、前記偏平導体と前記操作部材を前記電気接点と前記操作部材受部で挟持し、電気的に接続するように構成されたことを特徴とする偏平導体用コネクタ。
【発明の詳細な説明】
【０００１】
【発明の属する技術分野】
本発明は、フレキシブルフラットケーブル（ＦＦＣ）、フレキシブルプリント基板（ＦＰＣ）などの偏平導体を接続するためのコネクタに関する。
【０００２】
【従来の技術】
従来、この種のコネクタとしては、特開平１０−１２３３１号公報、特開平１０−３３５０１５号公報に示される水平方向からのＦＦＣ，ＦＰＣ挿入タイプのものが一般的である。また、特開平９−３０６６０９号公報には、斜め方向からの挿入タイプのものが開示されている。
【０００３】
【発明が解決しようとする課題】
しかし、最近ではこれらコネクタの取り付けられる回路基板には、きわめて多数の部品が取り付けられるため、部品周辺に余裕が無く、従来のコネクタによる水平又は斜め方向からのＦＦＣ，ＦＰＣの挿入は難しく、このため基板上への配置位置も制限をうける。
【０００４】
本発明は、基板実装の配置自由度のより大きい偏平導体用コネクタを提供することを目的とする。
【０００５】
【課題を解決するための手段】
上記目的達成のため、本発明では、複数の接触端子を収納したハウジングと、このハウジングに対して回動可能に保持され、偏平導体を挿入保持可能とした枠部を持つ操作部材とを備え、前記操作部材は、その回転中心より偏平導体挿入側と反対側に延出し、一体に形成された突起部を有し、前記ハウジングに左右一対一体に形成されたバネ性を有するアーム形状のロックバネ部と協動して、ハウジングに対して略垂直位置に安定に保持可能とされると共に、前記操作部材は、側面から突出した突起を有し、前記ハウジングの両端部に形成されたアームから内側に向かって突出した突起と協動して、前記ハウジングに対して水平位置でロック可能とし前記偏平導体の導体露出部を前記接触端子に圧接するように構成した偏平導体用コネクタとして、垂直方向からの偏平導体の挿入を可能とすると共に確実な接触圧の確保を可能とした。
【０００６】
また、複数の接触端子を収納したハウジングと、このハウジングに対して回動可能に保持され、偏平導体を挿入保持可能とした枠部を持つ操作部材とを備え、前記操作部材は前記ハウジングに対して垂直位置で安定に保持可能とされると共に、水平位置でロック可能とされ、前記接触端子は、下アームに前記偏平導体を構成する導体に接続される電気接点と、前記操作部材の偏平導体挿入側と反対面側に当接する操作部材受部を上アームに有し、前記電気接点は前記操作部材受部より先端に位置し、前記操作部材の垂直状態での下方先端は前記操作部材受部と電気接点の間に位置し、前記操作部材が前記ハウジングに対して前記水平位置となった状態で、前記偏平導体と前記操作部材を前記電気接点と前記操作部材受部で挟持し、電気的に接続するように構成された偏平導体用コネクタとして、垂直方向からの偏平導体の挿入を可能とすると共に確実な接触圧の確保を可能とした。
【０００７】
【発明の実施の形態】
以下本発明の実施の形態を図示例と共に説明する。
【０００８】
図１及び図２は、本発明の偏平導体用コネクタ１の外観斜視図で、図１は操作部材７が水平位置にロックされた状態を示し、図２は操作部材７が垂直位置に安定している状態を示す。
【０００９】
偏平導体用コネクタ１は、複数の接触端子５を等間隔に収納したハウジング３、ハウジング３に対し垂直および水平位置に回転可能に保持され偏平導体１５を挿入する枠部７ａを有する操作部材７、及び回路基板に取り付ける為の左右の取付端子９および１１から成る。
【００１０】
ハウジング３は、図３に示すように中央には多数の接触端子５（図３では図示せず）を収容する複数の端子用溝３ａを有し、その右側には操作部材７の軸を回動可能に保持するための軸保持部３ｂと３ｃ、左側には、同様に操作部材７の軸を保持する軸保持部３ｄと３ｅを有し、その外方には左右のアーム部３ｐ，３ｑを有する。
【００１１】
また、アーム部３ｐ，３ｑの内側後方の垂直面には、図３（ａ）では他の部分の陰で目視できないが右の取付端子９（図６も参照）の取付アーム９ｂを受容し保持する係止穴３ｆと左の取付端子１１（図７も参照）の取付アーム１１ｂを受容し保持する係止穴３ｇが形成されている。この係止穴３ｇの位置を示す部分図を図３（ｂ）として示す。
【００１２】
また、左右の側面には、左右の取付端子９，１１のストッパー９ｃ，１１ｃを受容する取付端子受溝３ｍ，３ｎが溝状に形成されている。
【００１３】
さらに、右側には、操作部材７の垂直位置の保持に作用する右のロックバネ部３ｈと、操作部材７の水平位置の保持に作用する右の突起３ｊが形成され、左側には、右側と対称に左のロックバネ部３ｉと、左の突起３ｋが形成されている。
【００１４】
操作部材７は、図４に示すように、偏平導体１５（図示せず）を挿入し保持する枠部７ａをその中央に設け、枠部７ａの後方には偏平導体１５の先端が当接する、ここでは図示しない当接部７ｋ（図９参照）を有する。当接部７ｋは、必ずしも枠部７ａの全長に亘って形成されている必要はない。
【００１５】
当接部７ｋの手前には、後述の接触端子５の操作部材受部５ｂを受け入れる窪み７ｍが設けられている。
【００１６】
左右後方には、上記ハウジング３の軸保持部３ｂと３ｃと係合する右の軸部７ｃ、上記ハウジング３の軸保持部３ｄと３ｅと係合する左の軸部７ｄが形成されている。
【００１７】
また、後方には、ハウジング３の左右のロックバネ部３ｈ，３ｉと協動して、操作部材７の垂直状態の安定に作用する垂直突起７ｇが、また、垂直突起７ｇには面取り部７ｈが形成されている。垂直突起７ｇは図４ではその全長に亘り同一形状で一体に形成されているが、ハウジング３の左右のロックバネ部３ｈ，３ｉに対応する位置に、分割して形成しても良い。
【００１８】
さらに、左右側面の前方には、ハウジング３の左右の突起３ｊ，３ｋと協動して、操作部材７の水平位置の保持に作用する右の水平突起７ｅ、左の水平突起７ｆが形成されている。
【００１９】
そして、操作部材７は、略垂直状態で、左右の軸部７ｃ，７ｄが、ハウジング３の左右の軸保持部３ｂ，３ｃ，３ｄ，３ｅに契合するように、ハウジング３の上方からハウジング３に組み付けられる。
【００２０】
接触端子５は図５に示すような形状をしており、ハウジング３の後方から、図５の矢印Ａに示す方向に、端子用溝３ａに嵌着される。
【００２１】
接触端子５は、導電性金属板で形成され、連結部５ａから伸びた先端部に操作部材受部５ｂを有する上アーム５ｃと、これとほぼ並行に伸び先端部分に接点５ｄを有する下アーム５ｅと、底部に下方に伸びる基板接続部５ｆと、ハウジング３に嵌着して抜けを防止する抜け止め部５ｇと、ハウジング３に嵌着する際の位置決めとなる突き当て部５ｈとで構成されている。
【００２２】
そして、上アーム５ｃと下アーム５ｅは互いに接離方向にバネ性を付与するために、幅狭な形状としてある。
【００２３】
右の取付端子９と左の取付端子１１は、それぞれ図６と図７の斜視図に示す形状を成す。
【００２４】
図６に示す右の取付端子９及び図７に示す左の取付端子１１は、それぞれ、半田付けが可能な金属板などで構成され、回路基板への固定に用いるベース部９ａ，１１ａ、ハウジング３に組み付けるための取付アーム９ｂ，１１ｂ、ハウジング３の変形を制御する為のストッパー９ｃ，１１ｃ、回路基板への半田付けをより確実にするための開口穴９ｄ，１１ｄが長穴形状に形成されている。
【００２５】
左右の取付端子９及び１１は、それぞれ図示する矢印Ｂ，Ｃの方向に、ハウジング３の前方から、ハウジング３の係止穴３ｆと係止穴３ｇに圧入して、図１又は２に示すように固定される。
【００２６】
このとき、左右の取付端子９及び１１のストッパー９ｃ，１１ｃの先端部も、ハウジング３の側面に形成された、左右の取付端子受溝３ｍ，３ｎに嵌合する。
【００２７】
次に、操作部材７の水平位置でのロック機構と、垂直位置での安定機構について説明する。
【００２８】
操作部材７を垂直位置方向から水平位置方向に、軸部７ｃ，７ｄを回転中心にして回動させると、操作部材７に形成された左右の水平突起７ｅ，７ｆが、ハウジング３に形成された左右の突起３ｊ，３ｋに当接するが、より強い回動力を加えると、突起３ｊ，３ｋの側面に形成した斜面によって、ハウジング３の左右のアーム部３ｐ，３ｑを外方に押し広げる力が発生し、水平突起７ｅ，７ｆが、突起３ｊ，３ｋを乗り越え、左右の取付端子９，１１のベース部９ａ，１１ａに当接するまで回動する。
【００２９】
この状態から、操作部材７を垂直位置方向に戻すには水平突起７ｅ，７ｆが、逆方向から突起３ｊ，３ｋを乗り越えなければならないが、コネクタ１が回路基板に組み付けられた状態では、操作部材７に垂直方向への回動力を加えることは、操作部材７と回路基板の隙間が狭く、手動では困難で、実質的にロック状態となる。
【００３０】
なお、水平突起７ｅ，７ｆが、突起３ｊ，３ｋを乗り越える際、ハウジング３の左右のアーム部３ｐ，３ｑが外方に撓むが、左右の撓み量が不均一になる等してハウジング３の特定部分に応力が集中し、ハウジング３が破壊するなどの事故を防止するため、左右のアーム部３ｐ，３ｑの撓み量が規定の量に達すると、取付端子９又は１１のストッパー９ｃ又は１１ｃが、ハウジング３の取付端子受溝３ｍ又は３ｎの底部に当接して、撓み量が規定の量を越えないようにしている。
【００３１】
図８は、図２のイ−イ断面図で、これを引用して操作部材７の垂直位置での安定機構を説明する。
【００３２】
図８において、これまで説明した部位には、同じ符号を付けて説明を省略すると共に、ハウジング３の軸保持部３ｅと、操作部材７の軸７ｄはこれを視認できるようにした。
【００３３】
また、以下の説明はコネクタ１の左側部分についてのみ行うが、右側部分も同様の構成で同様の動作を行うものとする。
【００３４】
図８（ａ）はハウジング３に対して操作部材７が垂直位置で安定している状態を示している。
【００３５】
ハウジング３のロックバネ部３ｉは、図示するようにアーム状に形成されていて、その先端近傍に傾斜部８ａが形成されている。
【００３６】
操作部材７にはハウジング３の上面と当接する肩部８ｂが形成されている。
【００３７】
操作部材７の軸７ｄは、ハウジング３の軸保持部３ｅと図示しない軸保持部３ｄで回動可能に保持されている。
【００３８】
操作部材７の垂直突起７ｇに形成された面取り部７ｈは、ハウジング３のロックバネ部３ｉに形成された傾斜部８ａに当接して、操作部材７が反時計方向に回動する回転力に抗し、操作部材７の肩部８ｂはハウジング３の上面に当接して、操作部材７が時計方向に回動しないよう構成されていて、操作部材７は垂直位置で安定に保たれる。
【００３９】
図８（ｂ）は、操作部材７が垂直位置から反時計方向に若干回動した状態を示している。
【００４０】
図８（ａ）の状態から、操作部材７に反時計方向に回動力を加えると、面取り部７ｈと傾斜部８ａの当接部で、ロックバネ部３ｉを下方に押す力が発生し、図８（ｂ）に示すようにロックバネ部３ｉが撓み、操作部材７が反時計方向に回動出来る。
【００４１】
逆に、図８（ｂ）の状態から、操作部材７に時計方向に回動力を加え回動させ、面取り部７ｈと傾斜部８ａが当接し始めると、ロックバネ部３ｉの上方に戻ろうとする力で、操作部材７に時計方向の回動力が付勢され、操作部材７は垂直位置で安定に保たれる。
【００４２】
なお、操作部材７が水平状態に近づいた状態では、ロックバネ部３ｉは操作部材７に対して、何等の作用もしない構成としてある。
【００４３】
図９は、図２のロ−ロ断面図で、これを引用して接触端子５のハウジング３に対する取付状態とその機能、及び、偏平導体の装着手順を説明する。
【００４４】
図９において、これまで説明した部位には、同じ符号を付けて説明を省略する。
【００４５】
図９（ａ）はハウジング３に対して操作部材７が垂直位置で安定している状態を示し、図９（ｂ）はハウジング３に対して操作部材７が水平位置でロックされている状態を示している。
【００４６】
図９（ａ）において、前述の通り、接触端子５はハウジング３の端子用溝３ａに図示右方から、突き当て部５ｈがハウジング３に当接する位置まで挿入され、その際、抜け止め部５ｇはハウジング３を変形して、接触端子５がハウジング３に対して固定された状態となる。
【００４７】
また、接触端子５の操作部材受部５ｂは操作部材７の窪み７ｍの底部に当接する。
【００４８】
そして、偏平導体１５は、その接点部１５ａを図示左方として、操作部材７の枠部７ａに、上方からその先端が操作部材７の当接部７ｋに当接する位置となるように挿入される。
【００４９】
偏平導体１５が挿入された状態で、操作部材７を反時計方向に回動し、図９（ｂ）に示す水平状態にしたとき、偏平導体１５の接点部１５ａは、接触端子５の下アーム５ｅを撓ませた状態で接点５ｄに当接し、電気的な接続を実現すると共に、偏平導体１５と操作部材７を積層した状態で保持する。
【００５０】
【発明の効果】
操作部材が垂直の状態で偏平導体を挿入可能とし、水平状態で偏平導体を強固に保持しつつ、偏平導体と接触端子との電気的接続を実現したので、基板実装の配置自由度のより大きい偏平導体用コネクタを得ることが出来る。
【図面の簡単な説明】
【図１】  本発明による実施の形態を示す、偏平導体用コネクタの外観斜視図で、操作部材が水平位置にロックされた状態を示す。
【図２】  図１と同じ実施の形態における偏平導体用コネクタの外観斜視図で、操作部材が垂直位置に安定している状態を示す。
【図３】  図１に示す偏平導体用コネクタのハウジングに関し、（ａ）は外観斜視図、（ｂ）は左端付近の部分正面図である。
【図４】  図１に示す偏平導体用コネクタの操作部材の外観斜視図である。
【図５】  図１に示す偏平導体用コネクタで用いる接触端子の斜視図である。
【図６】  図１に示す偏平導体用コネクタで用いる右の取付端子の斜視図である。
【図７】  図１に示す偏平導体用コネクタで用いる左の取付端子の斜視図である。
【図８】  図２のイ−イ断面図で、（ａ）は操作部材が垂直位置にある状態を示し、（ｂ）は操作部材が傾いた位置にある状態を示す。
【図９】  図２のロ−ロ断面図で、（ａ）は操作部材が垂直位置にある状態を示し、（ｂ）は操作部材が水平位置にある状態を示す。
【符号の説明】
１  偏平導体用コネクタ、３  ハウジング、３ａ  端子用溝、３ｂ，３ｃ，３ｄ，３ｅ  軸保持部、３ｆ，３ｇ  係止穴、３ｈ，３ｉ  ロックバネ部、３ｊ，３ｋ  突起、３ｍ，３ｎ  取付端子受溝、３ｐ，３ｑ  アーム部、５  接触端子、５ａ  連結部、５ｂ  操作部材受部、５ｃ  上アーム、５ｄ  接点、５ｅ  下アーム、５ｆ  基板接続部、５ｇ  抜け止め部、５ｈ  突き当て部、７  操作部材、７ａ  枠部、７ｃ，７ｄ  軸部、７ｅ，７ｆ  水平突起、７ｇ  垂直突起、７ｈ  面取り部、７ｋ  当接部、７ｍ  窪み、８ａ  傾斜部、８ｂ  肩部、９  右の取付端子、９ａ，１１ａ  ベース部、９ｂ，１１ｂ  取付アーム、９ｃ，１１ｃ  ストッパー、９ｄ，１１ｄ  開口穴、１１  左の取付端子、１５  偏平導体、１５ａ  接点部。
【図１】
0003742909.tif 000002
【図２】
0003742909.tif 000003
【図３】
0003742909.tif 000004
【図４】
0003742909.tif 000005
【図５】
0003742909.tif 000006
【図６】
0003742909.tif 000007
【図７】
0003742909.tif 000008
【図８】
0003742909.tif 000009
【図９】
0003742909.tif 000010